(57)【要約】【課題】既存のファンをマグネット付きのものに容易に変更し得るようにし、ファン本体の回転ぶれという不具合を解消する。【解決手段】回転検知用のマグネット１５が取り付けられたファン６であって、ファン本体１０と、ファン本体１０をベルト駆動するためのプーリー１１とを備え、プーリー１１は、ベルトを巻掛けするプーリー部１１ａと、ファン本体１０に接続されるハブ部１１ｂとを有し、プーリー部１１ａとファン本体１０との間に軸方向の間隔１３が空くように、ハブ部１１ｂをファン本体１０に固定して成るものにおいて、前記間隔１３に位置するようハブ部１１ｂ外周にマグネットケース１４を取り付け、該ケース１４にマグネット１５を収納する。【選択図】  図３
2004251255.tif 000002
【特許請求の範囲】
【請求項１】
回転検知用のマグネットが取り付けられたファンであって、ファン本体と、ファンをベルト駆動するためのプーリーとを備え、プーリーは、ベルトを巻掛けするプーリー部と、ファン本体に固定されるハブ部とを有し、プーリー部とファン本体との間に軸方向の間隔が空くように、ハブ部をファン本体に固定して成るものにおいて、
前記間隔に位置するようハブ部外周にマグネットケースを取り付け、該ケースにマグネットを収納したことを特徴とするマグネット付ファン。
【請求項２】
前記マグネットケースは、ハブ部外周に外嵌する環状に形成されることを特徴とする請求項１記載のマグネット付ファン。
【請求項３】
前記マグネットケースは、収納したマグネットから周方向に離隔した位置に回転バランスをとるためのウエイト部を備えることを特徴とする請求項２記載のマグネット付ファン。
【発明の詳細な説明】
【０００１】
【発明の属する技術分野】
本発明は、例えば、衣類乾燥機などに用いられる、回転検知用のマグネットを取り付けたファンに関する。
【０００２】
【従来の技術】
衣類乾燥機には、衣類を収納する回転ドラムに連なる排気ダクト内に位置させて、回転ドラムに対する給排気用のファンが設けられている。従来、この種のファンは、ファン本体と、ファンをベルト駆動するためのプーリーとで構成されている。プーリーは、ベルトを巻掛けするプーリー部と、ファン本体に固定されるハブ部とからなる。ここで、ファン本体は排気ダクト内に配置されるが、ベルトは排気ダクト外に配置されている。そのため、プーリー部とファン本体との間に、軸方向の間隔が空くように、ハブ部をファン本体に固定している。また、ファンの回転を検知できるように回転検知センサが反応する回転検知用のマグネットが取り付けられたファンも知られている（例えば、特許文献１参照。）。
【０００３】
この種のマグネット付ファンは、ファン本体の裏側にマグネットが取り付けられている。また、ファン本体の裏側からマグネットが突出することによる排気ダクトの側壁とマグネットとの干渉を回避すべく、ファン本体の裏側に凹部が形成され、この中にマグネットが取り付けられる。
【０００４】
しかしながら、かかるマグネット付ファンは、ファン本体の裏側に凹部を形成するため、ファン本体を形成する金型を変更する必要があり、既存のファンをマグネット付きのものに変更することは困難であった。また、ファン本体にマグネットを取り付けていたため、ファン本体の回転ぶれが生じ易くなる。
【０００５】
【特許文献１】
特開２００２−３１５９９９号公報（第３頁、第２図）
【０００６】
【発明が解決しようとする課題】
本発明は上記背景を鑑みてなされたものであり、既存のファンをマグネット付きのものに容易に変更し得るようにし、ファン本体の回転ぶれという不具合を解消することを課題としている。
【０００７】
【課題を解決するための手段】
上記課題を解決するため、本発明のマグネット付ファンは、回転検知用のマグネットが取り付けられたファンであって、ファン本体と、ファン本体をベルト駆動するためのプーリーとを備え、プーリーは、ベルトを巻掛けするプーリー部と、ファン本体に接続されるハブ部とを有し、プーリー部とファン本体との間に軸方向の間隔が空くように、ハブ部をファン本体に固定して成るものにおいて、前記間隔に位置するようハブ部外周にマグネットケースを取り付け、該ケースにマグネットを収納したことを特徴とする。
【０００８】
かかる構成によれば、ファン本体の形状を変えることなく、マグネットケースをプーリーのハブ部外周に取り付けるだけで、既存のファンをマグネット付きのものに変更することができる。また、ファン本体にマグネットを取り付けずに済むため、ファン本体の回転ぶれといった不具合も生じない。
【０００９】
また、前記マグネットケースは、ハブ部外周に外嵌する環状に形成されることが好ましい。かかる構成によれば、マグネットケースは、遠心力によりハブ部の径方向へ剥落することはない。
【００１０】
また、さらにファンの回転バランスを向上させるべく、前記マグネットケースは、収納したマグネットから周方向に離隔した位置に回転バランスをとるためのウエイト部を備えることが好ましい。
【００１１】
かかる構成によれば、マグネットとウエイト部とが釣り合い、マグネットを収納したマグネットケースの重心が、マグネットケースの環状中心、即ち、ファンの回転中心にくる。このため、ファンの回転バランスをより向上させることができる。また、ファン本体の形状を変えることなく、マグネットケースにウエイト部を、容易に設けることができる。
【００１２】
【発明の実施の形態】
本発明の実施の形態を図１から図５を参照して説明する。図１は本実施形態のマグネット付ファンを備える衣類乾燥機の全体を示す説明的断面図、図２は本実施形態のマグネット付ファンを前方から示した説明図、図３は、図２のマグネット付ファンを、一点鎖線Ｉで切断した説明的断面図、図４は、本実施形態のプーリーと、マグネットケースと、マグネットとの斜視図である。図５は、他の実施形態のマグネット付ファンの一部を示す説明的断面図である。
【００１３】
本発明の実施形態のマグネット付ファンは、衣類乾燥機に用いられる。図１に示すように、１は衣類乾燥機の機体である。機体１内には、衣類Ｓが投入される回転ドラム２が設けられている。機体１の下面には給気口３が開設されている。また、回転ドラム２の背面には、排気口４が開設されており、この排気口４に連通する排気ダクト５が機体１内の後部に設けられている。そして、排気ダクト５内に、回転ドラム２内の空気を排気口４を介して排気しつつ、給気口３からの空気を回転ドラム２内に供給する給排気ファン６を配置している。回転ドラム２と給排気ファン６とは、共通の駆動モータ７により、それぞれ、ベルト２ａ，６ａを介して回転駆動されている。
【００１４】
また、機体１内には、回転ドラム２に対する吸気口３からの空気の給気通路に位置させて、加熱源たる熱交換器８が配置されている。また、給排気ファン６には、マグネットが取り付けられており、給排気ファン６の後方に設けられた回転検知センサ９によって、マグネットを検知することにより、給排気ファン６の回転数を検知する。本実施形態においては、給排気ファン６がマグネット付ファンである。
【００１５】
次いで、給排気ファン６について、図２及び図３を参照して詳細に説明する。図２は、給排気ファン６を前方から示した図である。図３は、図２の給排気ファン６を一点鎖線Ｉに沿って切断した断面を示す図である。
【００１６】
給排気ファン６は、ファン本体１０と、給排気ファン６をベルト駆動するためのプーリー１１とで構成される。プーリー１１は、ベルト６ａを巻掛けするプーリー部１１ａと、ファン本体１０に接続される略円筒状のハブ部１１ｂとを備えている。ハブ部１１ｂの外周には、図４に示すように、径方向に突設された略矩形状の突部１１ｃが４つ形成されている。各突部１１ｃには、ネジ溝が形成されたネジ孔１１ｄが、突部１１ｃの前端面に開口するように形成されている。また、ハブ部１１ｂの外周には、ファン本体１０の位置決めのための段部１１ｅが形成されている。また、図３に示すように、ファン本体１０には、プーリー１１を取り付けた際に、ネジ孔１１ｄに重なる位置に、通孔１０ａがそれぞれ形成されている。
【００１７】
ファン本体１０と、プーリー１１とは、図２及び図３に示すように、通孔１０ａを通して、ネジ孔１１ｄに止められたネジ１２により固定される。このように、ファン本体１０とプーリー１１とが固定されたとき、ファン本体１０とプーリー部１１ａとの間に、間隔１３が形成される。そして、ハブ部１１ｂの外周に、この間隔１３に位置させて、マグネットケース１４が取り付けられる。
【００１８】
ここで、マグネットケース１４について、図４を参照して詳細に説明する。
【００１９】
マグネットケース１４は、厚みを持った環状に形成されており、中央には、ハブ部１１ｂを挿入自在な略円状孔１４ａが、前後方向に沿って形成されている。マグネットケース１４の内周壁には、各突部１１ｃに対応する周方向４箇所に位置させて、各突部１１ｃを受け入れる凹溝１４ｂが形成されている。そして、各凹溝１４ｂに各突部１１ｃを係合させることにより、マグネットケース１４は、プーリー１１に対し回り止めされる。
【００２０】
また、マグネットケース１４には、マグネット１５を収納するための略長方形状の収納穴１４ｃが形成されている。収納穴１４ｃの外側壁には、マグネット１５の設置の有無を確認できるように、マグネットケース１４の外周に開口する切欠部１６が形成されている。また、図３に破線で示すように、マグネット１５の磁気を検知する回転検知センサ９が、排気ダクト５の側壁の外面に取り付けられている。
【００２１】
さらに、図４に示すように、マグネットケース１４は、外周壁と内周壁と前端壁とを残すように、後方から前方に向かって、略全体に、凹部１４ｄが形成され、軽量化が図られている。そして、収納穴１４ｃから周方向に１８０°離れた位置に、ウエイト部１４ｅが、軽量化のための凹部１４ｄを埋めるように、肉盛りして形成されている。ウエイト部１４ｅは、マグネット１５の重さと同一になるように肉盛りされている。
【００２２】
以上のように、本実施形態のマグネット付ファン６では、ファン本体１０とは別体のマグネットケース１４に、回転検知用のマグネット１５が収納されている。そして、マグネットケース１４は、ファン本体１０とプーリー部１１ａとの間の軸方向の間隔１３において、ハブ部１１ｂの外周に取り付けられる。このため、羽根の形状や回転バランス等を考慮しながら、ファン本体１０に凹部を形成することなく、容易に既存のファンをマグネット付きのものに変更することができる。
【００２３】
また、マグネット１５が給排気ファン６の回転中心に近い位置に取り付けられることによって、回転駆動時における給排気ファン６の空気抵抗が小さくなり、回転バランスへの影響も少なくなる。ここで、ファン本体１０は、給排気ファン６の回転中心に近い部分ほど、回転駆動より発生する振動が小さくなる。このため、マグネット１５の取り付け位置が、給排気ファン６の回転中心に近いほど、マグネット１５の振動は小さくなる。また、ファン本体にマグネットを取り付けずに済むため、ファン本体の回転ぶれといった不具合も生じない。これにより、ファン本体のぶれによる騒音の発生や風量の低下などを防止する。さらに、マグネット１５の回転駆動する位置が安定し、検知されるときのマグネット１５と、回転検知センサ９との距離が一定に保たれる。従って、本実施形態のマグネット付ファン６によれば、回転検知センサ９は、より安定してファンの回転数を検知することができる。
【００２４】
また、マグネットケース１４は、ハブ部１１ｂ外周に外嵌する環状に形成されるため、遠心力によりハブ部１１ｂの径方向へ剥落することはない。
【００２５】
さらに、本実施形態のマグネットケース１４は、収納したマグネット１５から周方向に１８０°離れた位置に、回転バランスをとるためのウエイト部１４ｅを肉盛りして形成している。このため、マグネット１５とウエイト部１４ｅとが釣り合い、マグネット１５を収納したマグネットケース１４の重心が、マグネットケース１４の環状中心、即ち、給排気ファン６の回転中心に位置する。このため、給排気ファン６の回転バランスをより向上させることができる。また、ファン本体の形状を変えることなく、マグネットケース１４にウエイト部１４ｅを、容易に設けることができる。
【００２６】
なお、本実施形態は上記の如く構成されているが、該構成に限定されるものではない。例えば、本実施形態においては、図３に示すように、マグネットケース１４の外径を、プーリー部１１ａの外径とほぼ同一に形成している。然し、これに限定されることはなく、例えば、図５に示すマグネットケース１４２のように、排気ダクト５の側壁と干渉しない限度において、プーリー部１１ａの外径以上の外径となるように、マグネットケース１４を形成してもよい。
【００２７】
この場合は、マグネットケース１４２は、外周壁と内周壁と後端壁とを残すように、前方から後方に向かって、略全体に、凹部が形成され、軽量化が図られている。そして、マグネット１５は、マグネットケース１４２の前方から収納穴１４２ｃに挿入される。そして、収納穴１４２ｃの後壁には、マグネットケース１４２の後端に開口する切欠部１６が形成される。また、破線で示すように、マグネット１５の磁気を検知する回転検知センサ９が設けられている。
【００２８】
また、本実施形態においては、マグネットケース１４を環状に形成しているが、マグネットケース１４の形状は、これに限定されず、マグネット１５を収納して、間隔１３内に配置できる形状であればよい。然し、遠心力に対するマグネットケース１４の取付け強度を確保するには、環状に形成することが望ましい。また、本実施形態においては、ウエイト部１４ｅを肉盛りにより形成したが、肉盛りの代わりに、複数のリブなどを形成して、回転のバランスをとってもよい。また、本実施形態においては、ウエイト部１４ｅを１カ所しか形成していないが、ウエイト部を複数箇所に分散して、回転のバランスをとってもよい。また、本実施形態では、段部１１ｅによりファン本体１０の位置決めをしているが、突部１１ｃにより、位置決めできるため、段部１１ｅは無くてもよい。
【図面の簡単な説明】
【図１】本実施形態のマグネット付ファンを備える衣類乾燥機の全体を示す説明的断面図。
【図２】本実施形態のマグネット付ファンを前方から示した説明図。
【図３】図２のマグネット付ファンを、一点鎖線Ｉで切断した説明的断面図。
【図４】本実施形態のプーリーと、マグネットケースと、マグネットとの斜視図。
【図５】他の実施形態のマグネットケースの一部を示す説明的断面図。
【符号の説明】
９…回転検知センサ、  １０…ファン本体、  １１ａ…プーリー部、  １３…間隔、  １４…マグネットケース、  １４ｅ…ウエイト部、  １５…マグネット。
【図１】
2004251255.tif 000003
【図２】
2004251255.tif 000004
【図３】
2004251255.tif 000005
【図４】
2004251255.tif 000006
【図５】
2004251255.tif 000007